(57)【要約】【課題】浴室へ一定温度以上の排水が生じないようにし、使用者の不快感や不安感を防止する。【解決手段】給水管１３に加湿手段と給水温度センサー１５との間に給水管１３の水もしくは温水を排水する排水管１６と、サウナ対象室１の空気を循環する循環送風手段１０と、制御手段１９を内部に備えた本体であって、排水管１６に排水する水の温度を検知する排水温度センサー１８と排水弁１７を設けたことにより、浴室に、高温の排水を流すことがなく、使用者に不快感や不安感を与えることなく、サウナ運転開始時に給水温度が規定値になるまで排水することにより、低温の水がサウナ空間に噴霧することを防止できるサウナ装置を提供できる。【選択図】図１
2008253475.tif 000002
【特許請求の範囲】
【請求項１】
空気を加熱する加熱手段と、サウナ対象室内に直接加湿を行う直接加湿手段と、前記直接加湿手段に水もしくは温水を供給する給水管と、前記給水管に給水量を調整する給水弁と給水温度を検知する給水温度センサーと設け、前記給水管に前記直接加湿手段と前記給水温度センサーとの間に給水管の水もしくは温水を排水する排水管と、前記サウナ対象室内の空気を排出する換気手段と、前記サウナ対象室の空気を循環する循環送風手段と、加熱温度や給水量や風量を制御する制御手段を内部に備えた本体であって、前記排水管に排水する水の温度を検知する排水温度センサーと排水弁を設けたことを特徴とするサウナ装置。
【請求項２】
排水弁が開運転時に、排水温度の変化がないときに運転を停止するようにしたことを特徴とする請求項１記載のサウナ装置。
【請求項３】
サウナ運転開始一定時間内は、給水温度を８０℃とし、その間排水管に設けた排水弁を開くことを特徴とした請求項１記載のサウナ装置。
【請求項４】
サウナ運転開始前に一定時間、排水弁を開とした状態で通水し、給水温度センサーと排水温度センサーの検出値が、一定以上の差が生じたときに機器の運転を停止するようにしたことを特徴とする請求項１記載のサウナ装置。
【請求項５】
給水温度センサーあるいは排水温度センサーの少なくともひとつを、本体の外側に設けたことを特徴とする請求項１記載のサウナ装置。
【請求項６】
空気を加熱する加熱手段と、この加熱手段を経てサウナ対象室内の空気を循環する循環送風手段と、この循環風路内に設けた加湿手段と、この加湿手段に水もしくは温水を供給する給水管と、この給水管に給水量を調整する給水弁と給水温度を検知する給水温度センサーと設け、この給水弁と給水温度センサーの間に分岐管を設け、この分岐管からサウナ対象室に直接噴霧する加湿手段を別途設けるとともに、サウナ運転時にサウナ対象室内に放出されず、本体内で回収される水分を本体外に排水する排水管を設け、加熱温度や給水量や風量を制御する制御手段を内部に備えた本体であって、この給水温度センサーの検知温度により給水弁の開閉を切り替えることにより、加湿経路を制御するようにしたことを特徴とするサウナ装置。
【請求項７】
サウナ運転時に給水温度により噴霧ノズルに対し風上側に配置した加熱手段の容量を制御するようにしたことを特徴とする請求項１または６記載のサウナ装置。
【発明の詳細な説明】
【技術分野】
【０００１】
本発明は、浴室内を中温高湿雰囲気にし、サウナ浴をするために用いるサウナ装置に関する。
【背景技術】
【０００２】
従来、この種のサウナ装置の一例として浴室の天井に設置し浴室をサウナ室とするミスト装置が知られている（例えば、特許文献１参照）。
【０００３】
サウナには、室内の温度を１００℃程度、相対湿度を１０％程度の高温低湿環境にするドライ式サウナや、室内の温度を４０〜５０℃程度、相対湿度を７０％以上程度の中高温高湿環境にするスチーム式サウナがある。近年、浴室やシャワー室等に設置し、浴室やシャワー室そのものをサウナルームとして使用可能とするサウナ装置が注目されており、スチーム式のものが種々提案されている。
【０００４】
図５は、従来のこのようなサウナ装置の内部構造の概略を示すシステム図である。
【０００５】
図５に示すように、浴室の天井１０１に設置され、浴室内に温風を供給する暖房乾燥機本体１０２と、温水をミスト状に噴霧するミスト噴霧装置１０３とを備え、ミスト噴霧装置１０３は、ミストノズル１０４とミスト用の給水管１０５と給水弁１０６とを備え、このミストノズル１０４の上流側にはノズル弁１０７を備えている。前記給水菅１０５にはノズル弁１０７の上流側にミスト噴霧温度を検知するミスト温度センサー１０８と、ノズル弁１０７の上流側から前記給水管１０５からの水を抜くための排水管１０９を分岐させ、この排水管１０９を開閉するよう排水弁１１０を備えている。
【特許文献１】特開２００５−２４１２２４号公報
【発明の開示】
【発明が解決しようとする課題】
【０００６】
このような従来のサウナ装置では、サウナ運転開始時に給水管１０５に残留していた水が浴室内に噴霧されることを防止するために、運転開始前にノズル弁１０７を閉めた状態で排水弁１１０を開とし、一定時間給水を排水管１０９から浴室内に排水していた。
【０００７】
また、冷水がミストノズル１０４から浴室に噴霧されることを防止するため、ミスト温度センサー１０８の温度が高温になるまで排水弁１１０を開としていた。
【０００８】
以上のことより、サウナ運転時またはサウナ運転前の排水運転時に、浴室へ高温の排水が生じることがあるという課題があった。
【０００９】
本発明は、このような従来の課題を解決するものであり、浴室へ一定温度以上の排水が生じないようにし、使用者の不快感や不安感を防止するサウナ装置を提供することを目的とする。
【課題を解決するための手段】
【００１０】
本発明のサウナ装置は、上記目的を達成するために、空気を加熱する加熱手段と、サウナ対象室内に直接加湿を行う直接加湿手段と、前記直接加湿手段に水もしくは温水を供給する給水管と、前記給水管に給水量を調整する給水弁と給水温度を検知する給水温度センサーと設け、前記給水管に前記直接加湿手段と前記給水温度センサーとの間に給水管の水もしくは温水を排水する排水管と、前記サウナ対象室内の空気を循環する循環送風手段と、加熱温度や給水量や風量を制御する制御手段を内部に備えた本体であって、前記排水管に排水する水の温度を検知する排水温度センサーと排水弁を設けたことを特徴とするものである。
【００１１】
また、他の手段は、排水弁が開運転時に、排水温度センサーの検出値に変化がないときに運転を停止するようにしたことを特徴とするものである。
【００１２】
また、他の手段は、サウナ運転開始一定時間内は、給水温度を８０℃とし、その間排水管に設けた排水弁を開くことを特徴としたものである。
【００１３】
また、他の手段は、サウナ運転開始前に一定時間、排水弁を開とした状態で通水し、給水温度センサーと排水温度センサーの検出値が、一定以上の差が生じたときに機器の運転を停止するようにしたことを特徴とするものである。
【００１４】
また、他の手段は、給水温度センサーあるいは排水温度センサーの少なくともひとつを、本体の外側に設けたことを特徴とするものである。
【００１５】
また、他の手段は、空気を加熱する加熱手段と、この加熱手段を経てサウナ対象室内の空気を循環する循環送風手段と、この循環風路内に設けた加湿手段と、この加湿手段に水もしくは温水を供給する給水管と、この給水管に給水量を調整する給水弁と給水温度を検知する給水温度センサーと設け、この給水弁と給水温度センサーの間に分岐管を設け、この分岐管からサウナ対象室に直接噴霧するノズルを別途設け、サウナ運転時にサウナ対象室内に放出されず、本体内で回収される水分を本体外に排水する排水管を設け、加熱温度や給水量や風量を制御する制御手段を内部に備えた本体であって、この給水管温度により給水弁の開閉を切り替えることにより、加湿経路を制御するようにしたことを特徴とするものである。
【００１６】
また、他の手段は、サウナ運転時に給水温度により噴霧ノズルに対し風上側に配置した加熱手段の容量を制御するようにしたことを特徴とするものである。
【発明の効果】
【００１７】
本発明によれば、空気を加熱する加熱手段と、サウナ対象室内に直接加湿を行う直接加湿手段と、前記直接加湿手段に水もしくは温水を供給する給水管と、前記給水管に給水量を調整する給水弁と給水温度を検知する給水温度センサーと設け、前記給水管に前記直接加湿手段と前記給水温度センサーとの間に給水管の水もしくは温水を排水する排水管と、前記サウナ対象室内の空気を循環する循環送風手段と、加熱温度や給水量や風量を制御する制御手段を内部に備えた本体であって、前記排水管に排水する水の温度を検知する排水温度センサーと排水弁を設けたことにより、浴室に、高温の排水を流すことがなくなり、サウナ対象室内にいる使用者へ不快感や不安感をあたえることを防止できるとともに、サウナ運転開始時に給水温度が規定値になるまで排水することにより、低温の水がサウナ対象室内に直接加湿手段から噴霧することを防止できるという効果のあるサウナ装置を提供することができる。
【００１８】
また、排水弁が開運転時に、排水温度の変化がないときに運転を停止するようにしたことにより、排水配管のつまりを検知し給水を停止することにより、サウナ運転開始前の残留水排水不良により、配管の残留水がサウナ対象室内に直接噴霧されることを防止できるという効果のあるサウナ装置を提供することができる。
【００１９】
また、サウナ運転開始一定時間内は、給水温度を８０℃とし、その間排水管に設けた排水弁を開くことにより、サウナ運転開始前に低温水を流した場合に比べ、高温水を流すことにより、確実な配管内の殺菌ができるという効果のあるサウナ装置を提供することができる。
【００２０】
また、サウナ運転開始前に一定時間、排水弁を開とした状態で通水し、給水温度センサーと排水温度センサーの検出値が、一定以上の差が生じたときに機器の運転を停止するようにしたことにより、通常センサー不良の判定基準となるセンサーの抵抗値がショート・オープンとなるとき以外に、本制御によりセンサーの装着不良について判別できるという効果のあるサウナ装置を提供することができる。
【００２１】
また、給水温度センサーあるいは排水温度センサーの少なくともひとつを、本体の外側に設けたことにより、給水温度センサーあるいは排水温度センサーが、本体内の温度の影響を受けないので、誤検知することを防ぐことができるという効果のあるサウナ装置を提供することができる。
【００２２】
また、空気を加熱する加熱手段と、この加熱手段を経てサウナ対象室内の空気を循環する循環送風手段と、この循環風路内に設けた加湿手段と、この加湿手段に水もしくは温水を供給する給水管と、この給水管に給水量を調整する給水弁と給水温度を検知する給水温度センサーと設け、この給水弁と給水温度センサーの間に分岐管を設け、この分岐管からサウナ対象室に直接噴霧するノズルを別途設け、サウナ運転時にサウナ対象室内に放出されず、本体内で回収される水分を本体外に排水する排水管に排水温度センサーを設け、加熱温度や給水量や風量を制御する制御手段を内部に備えた本体であって、この給水管温度センサーの検出値により給水弁の開閉を切り替えることにより、加湿経路を制御できるようにし、サウナ運転開始時に温水が規定値になるまで循環風路内で噴霧し、低温水がサウナ対象室内に噴霧されることを防止できるという効果のあるサウナ装置を提供することができる。
【００２３】
また、サウナ運転時に給水温度により噴霧ノズルに対し風上側に配置した加熱手段の容量を制御するようにしたことにより、給水温度が上昇し、サウナ効果が高まった状態の時に加熱手段の容量を低下させることにより効率的な運転が可能となるという効果のあるサウナ装置を提供することができる。
【発明を実施するための最良の形態】
【００２４】
本発明の請求項１記載のサウナ装置は、空気を加熱する加熱手段と、サウナ対象室内に直接加湿を行う直接加湿手段と、前記直接加湿手段に水もしくは温水を供給する給水管と、前記給水管に給水量を調整する給水弁と給水温度を検知する給水温度センサーと設け、前記給水管に前記直接加湿手段と前記給水温度センサーとの間に給水管の水もしくは温水を排水する排水管と、前記サウナ対象室内の空気を循環する循環送風手段と、加熱温度や給水量や風量を制御する制御手段を内部に備えた本体であって、前記排水管に排水する水の温度を検知する排水温度センサーと排水弁を設けたことを特徴としたものであり、排水される水または温水の温度を排水温度センサーにより検知するとともに、制御手段に送られ排水の温度が規定値に対し高い時には、制御手段からの信号により、排水弁を閉じるという作用を有する。
【００２５】
また、排水弁が開運転時に、排水温度の変化がないときに運転を停止するようにしたことを特徴としたものであり、排水温度センサーで排水の温度を検知し制御手段に送られ、温度変化がないときは、制御手段から給水弁を閉止するように送られ、運転を停止するという作用を有する。
【００２６】
また、サウナ運転開始一定時間内は、給水温度を８０℃とし、その間排水管に設けた排水弁を開くこととしたものであり、給水菅内に残留していた水をサウナ運転開始前に排出するとともに、高温水を給水配管に流水するという作用を有する。
【００２７】
また、サウナ運転開始前に一定時間、排水弁を開とした状態で通水し、給水温度センサーと排水温度センサーの検出値が、一定以上の差が生じたときに機器の運転を停止するようにしたことを特徴としたものであり、サウナ運転開始前に、一定時間水を通水し、給水温度センサーおよび排水温度センサーにより温度を検知するとともに、制御手段に送られ検知温度の差が規定値を超えるときは、制御手段からの信号により運転を停止するという作用を有する。
【００２８】
また、給水温度センサーあるいは排水温度センサーの少なくともひとつを、本体の外側に設けたことを特徴としたものであり、サウナ対象室内の影響を受けやすい本体内の温度に影響されず、給水および排水温度を検知できるという作用を有する。
【００２９】
また、加湿経路を制御するようにしたことにより、サウナ運転開始時に温水が規定値になるまで循環風路内で噴霧し、規定値以上になるとサウナ対象室内に噴霧される作用を有する。
【００３０】
また、サウナ運転時に給水温度により噴霧ノズルに対し風上側に配置した加熱手段の容量を制御するようにしたことを特徴としたものであり、給水温度センサーの検出値を制御部に送り、検出値が規定値を超えたときに加熱手段の容量を定格状態にたいし、低下させるという作用を有する。
【００３１】
以下、本発明の実施の形態について、図面を参照しながら説明する。
【００３２】
（実施の形態１）
図１および図２に示すように、サウナ装置は、浴室などのサウナ対象室内１の天井２に取り付けられサウナ装置を形成する装置本体３を設け、装置本体３の下面をサウナ対象室内１に開口するとともに、この開口部にはフィルター４を装着した吸込口５と吹出口６とを供えたパネル７が取り付けられる。前記装置本体３の内部には、サウナ対象室内１の温度を検知する室温センサー８と、ヒーターなどにより空気を加熱する加熱手段９と、サウナ対象室内１からの空気を前記加熱手段９に送り込むための循環送風装置１０を設けた加熱部１１と、前記サウナ対象室内１に、加湿手段として温水もしくは水をミスト状に噴霧するため、ミストノズル１２がサウナ対象室内１に向かって前記パネル７の近傍に取り付けられ、このミストノズル１２に別途設置される熱源（図示せず）からの温水もしくは水を供給するための給水管１３が接続される。この給水管１３は前記ミストノズル１２の上流側に給水弁１４が取り付けられ、さらにこの給水弁１４の上流側に給水温度を検知する給水温度センサー１５が取り付けられる。前記給水管１３には前記給水弁１４と給水温度センサー１５との間に分岐部を設け、この分岐部から装置本体３から排水可能とするため排水管１６を設け、この排水管１６には排水管１６を開閉する排水弁１７とこの排水弁１７の下流には排水温度センサー１８が取り付けられている。また、前記装置本体３の内部には前記室温センサー８、給水温度センサー１５、排水温度センサー１８と別途設置されるリモコン（図示せず）からの信号により、加熱手段９、循環送風装置１０、給水弁１４、排水弁１７を制御する制御部１９を設けた構成とする。
【００３３】
上記構成により、リモコンからサウナ運転操作がおこなわれると制御部１９からの指示により、加熱手段９に通電するとともに循環送風装置１０が運転し、サウナ対象室内１から吸込んだ空気を加熱し、パネル７に設けた吹出口６からサウナ対象室内１に吹出すとともに、排水弁１７が開となり、給水管１３に残っている水が排水される排水制御がおこなわれ、給水菅１３内に残っていた汚れた水が装置本体３から排出される。この排出される水は配管を通ってサウナ対象室内１である浴室内に排水されることになる。このときミストノズル１２に取り付けられている給水弁１４は閉止した状態にあるため、ミストノズル１２からサウナ対象室内１に汚れた水が噴霧されることはない。
【００３４】
また、サウナ運転は、サウナ対象室内１へのミスト噴霧が水の場合と温水の場合とがあり、前記排水制御は、水噴霧の場合は一定時間経過後の排水弁１７を閉とし、給水弁１４を開として、ミストノズル１２からサウナ対象室内１に水を噴霧する。一方温水噴霧の場合は排水温度センサー１８が規定温度以上となったときに排水弁１７を閉とし、給水弁１４を開として、ミストノズル１２からサウナ対象室内１に温水を噴霧することとなる。
【００３５】
また、この排水制御開始前後における排水温度センサー１８の検知温度を制御部に送り、この検出値の差が規定時間（たとえば２分）内に規定温度値（たとえば４℃）変化がない場合は排水管異常として次の給水弁１４を開とする制御には移行しない。
【００３６】
また、サウナ運転が一定時間（たとえば１週間）以上使用されなかった場合、給水管１３に接続されている熱源器（図示せず）に制御部１９より信号を送り、規定温度（たとえば８０℃）の温水を通水させ、排水温度センサー１８がこの規定温度（たとえば８０℃）を検知してから一定時間（たとえば２分）経過するまで、排水弁１７を開として排水制御をおこなう。
【００３７】
また、排水制御開始時に給水温度センサー１５と排水温度センサー１８との検知温度を制御部１９に送り、給水温度と排水温度との差が規定値（たとえば２℃）以上ある場合センサー検知異常としてサウナ運転を停止する。
【００３８】
このように本発明の実施の形態１のサウナ装置によれば、浴室に、高温の排水を流すことがなくなり、サウナ対象室内にいる使用者へ不快感や不安感をあたえることを防止できるとともに、サウナ運転開始時に給水温度が規定値になるまで排水することにより、低温の水がサウナ空間に直接加湿手段から噴霧することを防止でき、規定温度以上の温水を給水配管に流すことにより、配管内の洗浄をより効率的に実施できる。また、給水温度センサーの温度と排水温度センサーの温度の検知差を比較し、センサーが配管から外れるなどにより一定値以上の差が生じた場合にセンサー異常とすることにより、従来検出が困難であったセンサー破損以外の検知不良についても検出が可能となる。
【００３９】
（実施の形態２）
次に、実施の形態２について説明する。なお、実施の形態１と重複する個所は同一記号とし説明は省略する。
【００４０】
図３に示すように、サウナ装置は、サウナ対象室内１に対し下方を開放した装置本体３に取り付けた給水管１３と外部からの配管との給水接続部２１および排水管１６とサウナ対象室内１への排水管との排水接続部２２を装置本体３に対し一定長さを設け、前記給水接続部２１と装置本体３の外郭との間に給水温度センサー２３を取り付け、前記装置本体３と排水接続部２２との間に排水温度センサー２４を取り付け、前記給水温度センサー２３および排水温度センサー２４は筒形状で給水管１３および排水管１６にそれぞれ抱き合わせる形で装着されている。
【００４１】
上記構成において、給水温度センサー２３が規定値（たとえば０℃）以下を一定時間経過すると配管の凍結パンク防止を目的として排水弁１７を開として配管内の水をサウナ対象室内１へ排水することになる。
【００４２】
このように本発明の実施の形態２のサウナ装置によれば、浴室などが多いサウナ対象室内１は、浴槽にお湯をはったり、サウナ装置により暖房運転をしたりすることにより温度変化が大きく、このサウナ対象室内１に向かって下面を開放している装置本体３の内部も、このサウナ対象室内１の温度影響を受けることになる。一方、前記給水温度センサー２３および排水温度センサー２４の装着位置は浴室などのサウナ対象室内１から隔離された天井裏空間２５に位置することになり、サウナ対象室内１の温度影響を受けにくく、温度の誤検知を防ぐことができる。
【００４３】
（実施の形態３）
次に、実施の形態３について説明する。なお、実施の形態１と重複する個所は同一記号とし説明は省略する。
【００４４】
図４に示すように、サウナ装置は、装置本体３の内部にサウナ対象室内１の温度を検知する室温センサー８と、サウナ対象室内１からの空気を吸い込んでサウナ対象室内１に吹き出す循環風路３１に空気を送り込むための循環送風装置１０を設け、ヒーターなどにより空気を加熱する加熱手段９と、この加熱手段９の風下側に、前記サウナ対象室内１に加湿手段として熱源器（図示せず）からの温水または市水などの水道水をミスト状に噴霧するためミストノズルＡ３２が前記循環風路３１の内部上面に取り付けられ、このミストノズルＡ３２の風下側に粒径の細かい水滴がサウナ対象室内１に噴霧されるように水フィルター３３が装着されている。
【００４５】
また、前記ミストノズルＡ３２には給水管３４が接続され、この給水管３４には給水を開閉する給水弁Ａ３５と給水温度を検知する給水温度センサー３６が装着され、この給水温度センサー３６と給水弁Ａ３５との間に分岐管３７を設け、この分岐管３７からサウナ対象室内１に直接温水または水をミスト状に噴霧するミストノズルＢ３８をパネル７に向けて設置し、このミストノズルＢ３８と分岐管３７との間に給水弁Ｂ３９を取り付けている。また、前記ミストノズルＡ３２と水フィルター３３との間には、水フィルター３３により捕集された水を排水するための水受け部４０とこの水受け部４０の底面部には排水管４１が取り付けられ、前記室温センサー８、給水温度センサー３６およびリモコン（図示せず）からの信号により前記循環送風装置１０、加熱手段９、給水弁Ａ３５、給水弁Ｂ３９を制御する制御部１９を設けた構成とする。
【００４６】
上記構成により、リモコン（図示せず）からのサウナ運転信号により熱源からの温水が給水管３４に供給される。このとき、給水温度センサー３６の温度が規定値より低いときには、給水弁Ｂ３９を閉じて給水弁Ａ３５を開とし、循環風路３１に装着されたミストノズルＡ３２から噴霧し、時間が経過し給水温度センサー３６の検出値が規定値以上となると、給水弁Ｂ３９を開にし、給水弁Ａ３５を閉にし、ミストノズルＢ３８からサウナ対象室内１に直接噴霧することとなる。
【００４７】
また、給水温度センサー３６の検出値が規定値に対し低い場合は、加熱手段９の出力を最大とし、規定値より高くなると加熱手段９の出力を抑え、さらに給水温度センサー３６の検知温度が上昇すると噴霧経路をミストノズルＡ３２からミストノズルＢ３８に切り替える。
【００４８】
このように本発明の実施の形態３のサウナ装置によれば、給水される温水の温度が低いうちは循環風路３１内の加熱手段９の直後に噴霧され、加熱されてからサウナ対象室内１に噴霧され、噴霧されない水給水は排水管４１により装置本体３から排出され、給水温度が規定値以上になるとサウナ対象室内１に直接噴霧され、低温水がサウナ空間に噴霧されることを防止できるとともに、循環風路３１に装着されるミストノズルＡ３２から噴霧された場合、給水量の約９割は排水管４１から排水されるため、噴霧経路を切り替えることにより、温水を無駄に排水することを防止できる。
【産業上の利用可能性】
【００４９】
装置の給水管および排水管に温度センサーを取り付けることにより、容易に給水経路および排水経路の切り替えができる空気調和装置等にも適用できる。
【図面の簡単な説明】
【００５０】
【図１】本発明の実施の形態１のサウナ装置を示すシステム図
【図２】同サウナ装置の設置を示す斜視図
【図３】本発明の実施の形態２のサウナ装置を示すシステム図
【図４】本発明の実施の形態３のサウナ装置を示すシステム図
【図５】従来のサウナ装置を示すシステム図
【符号の説明】
【００５１】
９  ・・加熱手段
１２・・ミストノズル
１３・・給水管
１４・・給水弁
１５・・給水温度センサー
１６・・排水管
１７・・排水弁
１８・・排水温度センサー
【図１】
2008253475.tif 000003
【図２】
2008253475.tif 000004
【図３】
2008253475.tif 000005
【図４】
2008253475.tif 000006
【図５】
2008253475.tif 000007